(57)【要約】【課題】データの記録または再生までの処理時間を短縮する。【解決手段】光ディスク１００では、ユーザデータ記録領域１０１ｃおよび管理情報記録領域１０１ｂ、１０１ｄ以外の領域であるＢＣＡ１０１ａの位置が、記録方向または再生方向に応じて記録層１０１の内周部または外周部に設定されており、ＢＣＡ１０１ａには、記録層１０１を識別するための層識別情報が記録されている。【選択図】図１
2014078288.tif 000002
【特許請求の範囲】
【請求項１】
トラックを備えていない記録層と、トラッキングを行うためのガイドトラックを備えているガイド層とを有する情報記録媒体であって、
データを記録可能なユーザデータ記録領域および当該記録層を管理するための管理情報を記録可能な管理情報記録領域以外の領域である非データ記録領域の位置が、上記記録層に対してデータ記録を行うときの記録方向またはデータ再生を行うときの再生方向に応じて当該記録層の内周部または外周部に設定されており、
上記非データ記録領域には、上記記録層を識別するための層識別情報が記録されていることを特徴とする情報記録媒体。
【請求項２】
上記層識別情報は、上記非データ記録領域の、トラッキングを行うことなくデータの読み出しが可能な特定領域に記録されていることを特徴とする請求項１に記載の情報記録媒体。
【請求項３】
上記非データ記録領域は、ＢＣＡ（Burst Cutting Area）であることを特徴とする請求項１または２に記載の情報記録媒体。
【請求項４】
上記記録方向または上記再生方向が、上記情報記録媒体の内周側から外周側へ向かう方向である場合には、上記非データ記録領域は上記情報記録媒体の内周部に形成され、
上記記録方向または上記再生方向が、上記情報記録媒体の外周側から内周側へ向かう方向である場合には、上記非データ記録領域は上記情報記録媒体の外周部に形成されていることを特徴とする請求項１から３のいずれか１項に記載の情報記録媒体。
【請求項５】
上記記録層を複数備えるとともに、上記ガイド層を１つ備え、
上記ガイド層に対して行われる上記トラッキングの方向は、上記記録方向または上記再生方向に対応しており、
上記記録層のそれぞれの上記記録方向または上記再生方向は、互いに同一であることを特徴とする請求項４に記載の情報記録媒体。
【請求項６】
上記記録層を複数備えるとともに、上記ガイド層を２つ備え、
上記記録層のうちの第１記録層群に含まれる記録層のそれぞれの上記記録方向または上記再生方向を、それぞれ第１記録方向または第１再生方向とし、
上記第１記録層群以外の記録層群である第２記録層群に含まれる記録層のそれぞれの上記記録方向または上記再生方向を、それぞれ第２記録方向または第２再生方向としたとき、
上記ガイド層のうちの一方に対して行われる上記トラッキングの方向は、上記第１記録方向または上記第１再生方向と対応しており、
上記ガイド層のうちの他方に対して行われる上記トラッキングの方向は、上記第２記録方向または上記第２再生方向と対応していることを特徴とする請求項４に記載の情報記録媒体。
【請求項７】
請求項１から６のいずれか１項に記載の情報記録媒体に対して情報の記録または再生を行う記録再生装置であって、
上記記録層の上記非データ記録領域に記録されている上記層識別情報を取得する層識別情報取得手段と、
上記層識別情報取得手段が取得した上記層識別情報が示す記録層の上記ユーザデータ記録領域に対してデータ記録またはデータ再生を行う記録再生手段と、を備えていることを特徴とする記録再生装置。
【請求項８】
請求項１から６のいずれか１項に記載の情報記録媒体に対して情報の記録または再生を行う記録再生装置の制御方法であって、
上記記録層の上記非データ記録領域に記録されている上記層識別情報を取得する層識別情報取得ステップと、
上記層識別情報取得ステップにおいて取得した上記層識別情報が示す記録層の上記ユーザデータ記録領域に対してデータ記録またはデータ再生を行う記録再生ステップと、を含むことを特徴とする記録再生装置の制御方法。
【請求項９】
請求項７に記載の記録再生装置を動作させるための制御プログラムであって、コンピュータを上記の各手段として機能させるための制御プログラム。
【請求項１０】
請求項９に記載の制御プログラムを記録したコンピュータ読み取り可能な記録媒体。
【発明の詳細な説明】
【技術分野】
【０００１】
本発明は、トラックを備えていない記録層と、トラッキングを行うためのガイドトラックを備えているガイド層とを有する情報記録媒体などに関するものである。
【背景技術】
【０００２】
従来から、複数の記録層を備える光ディスクとしては、ガイド層と記録層とが分離しておらず一体となっている（すなわち、各記録層にガイドトラックが形成されている）光ディスク（ガイド層一体型の光ディスク）と、記録層とガイド層とが分離して別々に形成されている光ディスク（ガイド層分離型の光ディスク）とが存在する。
【０００３】
ガイド層一体型の光ディスクとしては、現在、ＢＤ、ＤＶＤ等が一般に普及している。例えば、ＢＤには、ガイドトラックを高速に変調させたウォブルで位置（アドレス）情報が記録されている。
【０００４】
一方、ガイド層分離型の光ディスクは、記録層にトラック（ピットまたはウォブルなど）が形成されないので、簡単な構造の記録層を積層した構造となる。このため、容易に製造することができる。また、一般に、ガイド層一体型の光ディスクでは、記録層の数が増えるほどガイドトラックの製造精度が厳密になるのに対して、ガイド層分離型の光ディスクは、記録層にトラックが形成されないので、記録層の多層化が容易であるという利点もある。
【０００５】
ガイド層一体型の光ディスク（通常記録媒体）には、各記録層を識別するための層番号情報（層識別情報）が、当該記録層ごとに記録されている。すなわち、複数の記録層のそれぞれに何番目の記録層であるかを示すデータが記録されている。上記光ディスクは、記録光を案内するトラックを各々有する多層構造の記録層を備えており、上記層識別情報（例えば層番号）がピット（凹凸）で構成されるトラック上に記録されている。また、そのトラックは、ウォブルであってもよい。このような層識別情報が記録されたガイド層一体型の光ディスクの一例として、特許文献１が挙げられる。
【０００６】
特許文献１の光ディスク３００を図１１に図示する。光ディスク３００は、各記録層のデータ記録領域３０１の内周部および／または外周部の非データ記録領域３０２に、層番号情報がピット３０３にて記録されている（図１１では内周部）。この層番号情報として機能するピット３０３を、データ記録領域３０１に形成されるピットの周方向の長さよりも長くすることにより、当該ピット３０３をフォーカス動作だけで読み取り可能としている。
【先行技術文献】
【特許文献】
【０００７】
【特許文献１】国際公開第２００６／０４９３０１号（２００６年０５月１１日公開）
【発明の概要】
【発明が解決しようとする課題】
【０００８】
しかしながら、特許文献１の光ディスク３００には、その光ディスクが有する各記録層のそれぞれに対するデータの記録方向または再生方向に応じて層番号情報が記録されているわけではない。そのため、上記記録方向または再生方向の例えば終点側に層番号情報が記録されている場合には、記録再生装置は、層番号情報を読み出した後、当該記録方向または再生方向の始点側まで戻って、データの記録または再生を行うことになる。つまり、特許文献１では、データの記録または再生までの処理時間が長くなってしまう虞があった。
【０００９】
また、ガイド層分離型の光ディスクでは、各記録層にトラックが形成されていないゆえ、当該記録層を識別するための層識別情報をピットまたはウォブルで記録しておくことができなかった。そのため、このガイド層分離型の光ディスクでは、各記録層を識別可能とするために、各記録層の反射率を変え、記録再生装置がその反射率の違いを検出することにより各記録層を識別していた。しかしながら、評価機を用いた試作レベルではその識別を行うことが可能であるが、当該光ディスクが量産され、かつ、種々の記録再生装置において情報の記録または再生が行われることを想定した場合、当該識別を行うことは困難であった。
【００１０】
したがって、ガイド層分離型の光ディスクにおいては、各記録層を正確に識別した上で、データの記録または再生までの処理時間を短縮することは困難であった。
【００１１】
本発明は、上記の問題を解決するためになされたもので、その目的は、所謂ガイド層分離型の情報記録媒体において、データの記録または再生までの処理時間を短縮することが可能な情報記録媒体および記録再生装置を提供することにある。
【課題を解決するための手段】
【００１２】
本発明の一態様に係る情報記録媒体は、上記の課題を解決するために、トラックを備えていない記録層と、トラッキングを行うためのガイドトラックを備えているガイド層とを有する情報記録媒体であって、データを記録可能なユーザデータ記録領域および当該記録層を管理するための管理情報を記録可能な管理情報記録領域以外の領域である非データ記録領域の位置が、上記記録層に対してデータ記録を行うときの記録方向またはデータ再生を行うときの再生方向に応じて当該記録層の内周部または外周部に設定されており、上記非データ記録領域には、上記記録層を識別するための層識別情報が記録されている。
【発明の効果】
【００１３】
本発明の一態様に係る情報記録媒体などによれば、記録層へのデータ記録またはデータ再生までの処理時間を短縮することができるという効果を奏する。
【図面の簡単な説明】
【００１４】
【図１】本発明の一実施形態に係る光ディスクを説明するための、当該光ディスクの概略構成の一例を示す図である。
【図２】上記光ディスクを記録または再生を行う光ディスク装置の全体的な概略構成の一例を示す図である。
【図３】上記光ディスクの積層構造の一例を示す図である。
【図４】上記光ディスク装置が備える制御部の構成の一例を示す機能ブロック図である。
【図５】上記光ディスク装置における処理の一例を示すフローチャートである。
【図６】本発明の別の実施形態に係る光ディスクの積層構造の一例を示す図である。
【図７】上記光ディスクを説明するための、当該光ディスクの概略構成の一例を示す図である。
【図８】本発明のさらに別の実施形態に係る光ディスクの積層構造の一例を示す図である。
【図９】上記光ディスクを説明するための、当該光ディスクの概略構成の一例を示す図である。
【図１０】本発明の各実施形態に係る光ディスクの比較例であって、ガイド層分離型の光ディスクの概略構成の一例を示す図である。
【図１１】従来のガイド層一体型の光ディスクの一例を示す概念図である。
【発明を実施するための形態】
【００１５】
〔実施の形態１〕
まず、本発明の実施の一形態について図１〜図５に基づいて説明すれば、以下のとおりである。
【００１６】
＜光ディスク装置１の概略構成＞
まず、図２に基づき、本発明の一実施形態である光ディスク装置１（記録再生装置）の全体的な概略構成について説明する。図２は、光ディスク装置１の全体的な概要構成を示す図である。
【００１７】
光ディスク装置１は、本実施形態の光ディスク１００（情報記録媒体）（図３参照）に対して情報の記録または再生を行うことが可能である。光ディスク１００は、トラックを備えていないフラットな記録層１０１と、トラッキングを行うためのガイドトラックＴを備えているガイド層１０２とを有する、所謂ガイド層分離型の光ディスクである。
【００１８】
なお、光ディスク装置１は、本実施形態の光ディスク１００に限らず、ガイド層分離型の光ディスクに対して情報の記録または再生を行うことが可能な装置であるが、本実施形態では、光ディスク１００に対して情報の記録または再生を行うものとして説明する。
【００１９】
光ディスク装置１は、図２に示すように、主として、格納部３、ディスク装填認識部６、記録再生回路群１０、光ピックアップ１２および制御部２０を備えている。また、光ピックアップ１２は光ヘッド１１を備えており、記録再生回路群１０は、主として、ピックアップ駆動回路１３、レーザ駆動回路１４および再生回路１５を備えている。
【００２０】
また、光ヘッド１１は、記録再生用レンズ１１ａおよびサーボ用レンズ１１ｂを備えている。記録再生用レンズ１１ａは、記録層１０１に各種情報を書き込む（記録する）ための記録用レーザ光（記録光）、または、記録層１０１に記録されている情報を読み取る（再生する）ための再生用レーザ光（再生光）を当該記録層１０１の所定の位置に照射するために、レーザ光源（不図示）から出射された記録用レーザ光または再生用レーザ光の進行方向を制御するものである。サーボ用レンズ１１ｂは、上記情報の書き込みまたは読み取り時に、ガイド層１０２が有するガイドトラックＴの所定の位置にサーボ用レーザ光を照射するために、レーザ光源（不図示）から出射されたサーボ用レーザ光の進行方向を制御するものである。記録再生回路群１０が記録再生用レンズ１１ａおよびサーボ用レンズ１１ｂの動作を制御することにより、上記進行方向が制御される。
【００２１】
また、光ディスク装置１は、記録層１０１への情報記録または情報再生時には、上記サーボ用レンズ１１ｂによって、サーボ用レーザ光の焦点位置をトラッキング制御によりガイド層１０２のガイドトラックＴ上を移動させつつ、上記記録再生用レンズ１１ａによって当該記録層１０１に記録用レーザ光または再生用レーザ光を集光させる。この処理を実現するために、制御部２０は、ピックアップ駆動回路１３を介して光ピックアップ１２を上記書き込み位置（記録部位）へと移動させ、光ピックアップ１２の光ヘッド１１から出力される記録用レーザ光の焦点位置および出力値を制御する。また、このとき、制御部２０はレーザ駆動回路１４を介して記録条件を設定する。これにより、光ディスク装置１は、光ディスク１００の記録層１０１に情報を記録することができる。
【００２２】
また、光ディスク装置１では、制御部２０がピックアップ駆動回路１３を介して光ピックアップ１２を光ディスク１００の記録部位へ移動させる。そして、制御部２０は、レーザ駆動回路１４を介して再生条件を設定した後、光ヘッド１１から再生用レーザ光の焦点位置及び出力値を制御し、光ディスク１００の上記記録部位へ再生用レーザ光を照射する。そして、光ヘッド１１が検出した反射光は、再生回路１５にて再生信号に変換され、制御部２０に入力される。これにより、光ディスク装置１は、光ディスク１００の記録層１０１に記録された情報を再生することができる。
【００２３】
また、ディスク装填認識部６は、光ディスク１００の装填を検出するためのものであり、例えば、各種センサが例示できるが、光ディスク１００の装填を検出できるものであれば、どのようなセンサを用いてもよい。また、ディスク装填認識部６は、検出した結果を検出信号として制御部２０へ出力するようになっている。
【００２４】
なお、格納部３および制御部２０の具体的な構成については後述する。
【００２５】
＜光ディスク１００の構成＞
（積層構造）
次に、図１および図３に基づき、本発明の一実施形態に係る光ディスク１００について説明する。まず、図３に基づき、光ディスク１００の概略構成について説明する。図３は、光ディスク１００の積層構造の一例を示す図である。
【００２６】
図示のように、光ディスク１００は、基板１０５とカバー層１０４との間に、ガイド層１０２Ａ、記録層１０１Ａ〜１０１Ｄ、および中間層１０３Ａ〜１０３Ｄを備えている。具体的には、基板１０５から、ガイド層１０２Ａ、中間層１０３Ａ、記録層１０１Ａ、中間層１０３Ｂ、記録層１０１Ｂ、中間層１０３Ｃ、記録層１０１Ｃ、中間層１０３Ｄ、記録層１０１Ｄおよびカバー層１０４がこの順に積層されている。そして、カバー層１０４側から、記録再生用レンズ１１ａを介して記録用レーザ光または再生用レーザ光が、サーボ用レンズ１１ｂを介してサーボ用レーザ光がそれぞれ照射される。
【００２７】
なお、光ディスク１００の記録層、ガイド層、中間層を総称して、それぞれ「記録層１０１」、「ガイド層１０２」、「中間層１０３」と称する場合もある。
【００２８】
記録層１０１は、種々のデータが記録可能な層であるが、トラックを備えていない。ここで、上記「トラックを備えていない」記録層とは、当該記録層にデータ記録用のトラックが設けられていないことを意味する。
【００２９】
ガイド層１０２は、トラッキングを行うためのガイドトラックＴを備えている。より具体的には、ガイド層１０２には、位置（アドレス）情報を含むサーボ用情報がガイドトラックＴとして記録されている。
【００３０】
すなわち、光ディスク１００では、ガイド層１０２を設け、各記録層１０１からトラック（ピットまたはウォブル）をなくすことにより、簡単な構造の記録層を積層させることが可能となる。それゆえ、ガイド層１０２を備えていない光ディスク（ガイド層一体型の光ディスク）に比べ、容易に光ディスク１００を製造することができる。また、ガイド層一体型の光ディスクでは、記録層の積層数が増えるほど、各記録層へのガイドトラックの製造精度が厳密になるが、光ディスク１００では、記録層１０１とは別にガイド層１０２が設けられているので、そのような厳密性が要求されない。それゆえ、光ディスク１００では、ガイド層一体型の光ディスクに比べ、記録層の多層化が容易となる。
【００３１】
そして、記録層１０１およびガイド層１０２を備えているので、上述のように、光ディスク装置１は、ガイド層１０２の所定の位置へのトラッキング制御を行うことにより、記録層１０１の所定の位置への情報の書き込み、および記録層１０１の所定の位置からの情報の読み出しを行うことができる。
【００３２】
本実施形態では、記録層１０１は、ＢｉＧｅＯまたはＳｉとＣｕとの積層膜を、ＳｉＯ２、ＴｉＯ２またはＺｎＳ−ＳｉＯ２などの誘電体膜にて挟んだ構成となっている。ただし、上記材料および上記構成に限定されず、記録層１０１は、記録用レーザ光または再生用レーザ光の波長または強度に応じて感応し、屈折率、透過率、吸収率、反射率などが変化する材料であればよい。例えば、記録層１０１の光の反射率または吸収率などを調整するために、記録層１０１は、ＡｇＮｄＣｕまたはＦｅ２Ｏ３などを含んでいてもよい。また、フォトポリマー、光異方性材料、フォトリフラクティブ材料、ホールバーニング材料、フォトクロミック材料であってもよい。
【００３３】
ガイド層１０２は、例えば、サーボ用レーザ光を反射する金属材料、誘電体多層膜によるミラーなどからなる。なお、ガイド層１０２は、記録用レーザ光または再生用レーザ光を反射しないことが好ましい。
【００３４】
中間層１０３は、各記録層１０１の層間クロストークが問題とならない程度に、各記録層１０１を分離するものであり、記録用レーザ光、再生用レーザ光およびサーボ用レーザ光の波長に対して透過率が高いものであれば良く、例えば紫外線硬化樹脂からなる。
【００３５】
カバー層１０４は、記録層１０１および中間層１０３を外因から保護するものである。カバー層１０４は、記録用レーザ光、再生用レーザ光およびサーボ用レーザ光の波長に対して透過率が高いものであれば良く、例えば紫外線硬化樹脂、ポリカーボネートなどからなる。
【００３６】
基板１０５は、記録層１０１、ガイド層１０２、中間層１０３およびカバー層１０４の積層構造を支持するものであり、例えばポリカーボネート、ポリオレフィン樹脂、金属などからなる。
【００３７】
なお、光ディスク１００は、図３では、記録層１０１が記録層１０１Ａ〜１０１Ｄの４層で構成されているが、これに限らず、単層からなっていても複数層からなっていてもよい。また、各記録層１０１間、および記録層１０１とカバー層１０４との間に、中間層１０３が設けられていればよく、この場合、記録層１０１と中間層１０３との数は同数となる。
【００３８】
また、光ディスク１００は、ガイド層分離型の光ディスクの一般的な製造工程を経て製造され、光ディスク１００の形状および各層の厚みもまた、一般的なガイド層分離型の光ディスクの形状および各層の厚みと同様である。さらに、各層の材質も上記に限定されるものではない。
【００３９】
（記録層１０１およびガイド層１０２の詳細）
次に、図１に基づき、本発明の一実施形態に係る光ディスク１００の記録層１０１およびガイド層１０２の詳細について説明する。図１は、本発明の一実施形態に係る光ディスク１００を説明するための、当該光ディスク１００の概略構成の一例を示す図である。なお、図１は、図３の光ディスク１００の構成から、中間層１０３Ａ〜１０３Ｄ、カバー層１０４および基板１０５の図示を省略して、その構成を簡略化したものである。
【００４０】
記録層１０１は、光ディスク１００の内周側から、主として、ＢＣＡ（Burst Cutting Area）１０１ａ（非データ記録領域、特定領域）、管理情報記録領域１０１ｂ、ユーザデータ記録領域１０１ｃ、及び管理情報記録領域１０１ｄで構成されている。
【００４１】
ＢＣＡ１０１ａは、情報の書き換え（書き込み）が不可能な領域であり、光ディスク１００の物理的な構造を識別するための識別情報（ディスク情報（Disk Information））が記録されている。識別情報の具体例としては、光ディスク１００が備える記録層のタイプ（追記型、書き換え型）、光ディスク１００のサイズ（総層数）、光ディスク１００のバージョン（速度等に関連）、サーボの極性、記録マークの極性および光ディスク１００固有の番号（ＩＤ）などが挙げられる。なお、これらの識別情報の記録順序（又は配置方法）は任意であってよく、通常、規格などによって決められている。
【００４２】
また、ＢＣＡ１０１ａには、各記録層１０１を識別するための層識別情報があらかじめ記録されている。この層識別情報としては、層位置が識別可能な情報であればよく、例えばレーザ光入射側からの記録層の順序を示す層番号情報（例えばＬ０、Ｌ１、Ｌ２、…）であってもよい。この場合、層識別情報は、トラッキングを行うことなく読み出しを行うことが可能な、いわゆるＢＣＡコードとして記録されている。
【００４３】
このように、ＢＣＡ１０１ａに層識別情報が記録されていることによって、従来のガイド層分離型の光ディスクとは異なり、データ記録またはデータ再生すべき記録層（現在アクセスしている記録層、以降指定層とも称する）を正確に識別することができる。なお、この指定層とは、例えば、データの記録指示または再生指示を受けたときに当該記録または再生を実行すべき層ともいえる。
【００４４】
なお、層識別情報から記録層の層位置を識別することが可能なように、光ディスク装置１には、当該層識別情報（層番号情報）と記録層との対応関係を示すデータが格納されている。そのため、光ディスク装置１は、層識別情報を読み出すことによって、層識別情報が示す記録層が、データ記録すべき記録層と一致するかを判定することができる。
【００４５】
管理情報記録領域１０１ｂは、記録層１０１のそれぞれを管理するための管理情報を記録可能な領域である。管理情報として、例えば、光ディスク１００への記録・再生の標準条件、各記録層１０１に対する光ディスク装置１のアクセスの許可不許可（アクセス制限）を示す情報、製造時の欠陥および使用中にできた欠陥の位置を示す情報、光ディスク上の位置（アドレス）を示す位置情報などが記録されている。なお、この欠陥の位置を示す情報は、管理情報記録領域１０１ｂ内の欠陥管理領域に記録される。
【００４６】
また、管理情報記録領域１０１ｂには、各記録層１０１の記録条件を示す記録条件情報、および各記録層１０１の再生条件を示す再生条件情報を記録することができる。
【００４７】
ユーザデータ記録領域１０１ｃは、管理情報記録領域１０１ｂの外周側に設けられており、ソフトウェア、コンテンツ等の各種データを記録することが可能な領域である。
【００４８】
管理情報記録領域１０１ｄは、ユーザデータ記録領域１０１ｃの外周側に設けられており、前述した欠陥の位置を示す情報などが記録されている。また、管理情報記録領域１０１ｄにも、管理情報記録領域１０１ｂと同じ情報が記録可能である。
【００４９】
また、ガイド層１０２Ａは、方向識別情報が記録されている方向識別情報記録領域１０６を備えている。方向識別情報とは、各記録層１０１に対して、光ディスク装置１がデータ記録を行うときの記録方向、または、データ再生を行うときの再生方向を含む情報である。なお、便宜上、各記録層１０１における記録方向と再生方向とが同じであるものとして説明するが、当該記録方向と再生方向とは異なっていてもよい。
【００５０】
具体的には、上記方向識別情報は、例えば、各記録層１０１と、その記録方向または再生方向と、当該記録方向または再生方向に対応したトラッキングの方向を有するガイド層１０２と、各記録層１０１が有するＢＣＡ１０１ａが設けられている位置情報とが対応付けられたものである。例えば図１では、方向識別情報は、各記録層１０１の記録方向または再生方向として内周側から外周側へ向かう方向を示す情報と、この記録方向または再生方向に対応したトラッキングの方向を有するガイド層１０２Ａを示す情報と、各記録層１０１が有するＢＣＡ１０１ａが設けられた位置情報として光ディスク１００の内周部を示す情報と、が対応付けられた情報である。すなわち、ガイド層１０２Ａに対するトラッキングの方向は、記録層１０１の記録方向または再生方向に対応している。
【００５１】
換言すれば、本実施形態の光ディスク１００は、記録層１０１を複数（図１では４層）備えるとともに、ガイド層１０２を１つ備えた構成であり、各記録層１０１のそれぞれの記録方向または再生方向は互いに同一である。そして、上述のように、ガイド層１０２に対するトラッキングの方向は、記録層１０１の記録方向または再生方向に対応している。それゆえ、光ディスク装置１は、ガイド層１０２を１つ、記録層１０１を複数備えた構成において、記録層１０１のそれぞれに対して適切にデータ記録またはデータ再生を行うことができる。
【００５２】
なお、上記記録方向または再生方向を示す情報としては、その始点側の位置情報（最内周または最外周側のアドレス情報）であってもよい。例えば、内周側から外周側へ向かう方向を示す情報が最内周側のアドレス情報であり、外周側から内周側へ向かう方向を示す情報が最外周側のアドレス情報であってもよい。
【００５３】
また、図１では、各記録層１０１の記録方向または再生方向は、いずれも内周側から外周側へ向かう方向に設定されているが、当然ながら逆の方向（外周側から内周側へ向かう方向）と設定されていてもよい。
【００５４】
さらに、方向識別情報記録領域１０６は、光ディスク装置１に光ディスク１００が装填された後、最初に再生用レーザ光が照射される位置に存在している。本実施形態では、その一例として、方向識別情報記録領域１０６が光ディスク１００の最内周側に設けられている。この構成よれば、光ディスク装置１は、光ディスク１００の装填直後に方向識別情報を読み出して、各記録層１０１の記録方向または再生方向、ＢＣＡ１０１ａの位置などを認識することができる。
【００５５】
なお、上記においては、ガイド層１０２が方向識別情報記録領域１０６を備え、当該領域に方向識別情報が記録されている構成について説明したが、当該構成はあくまで一例である。例えば、光ディスク１００に方向識別情報記録領域１０６が設けられていなくてもよい。すなわち、光ディスク１００に方向識別情報が記録されていなくてもよい。
【００５６】
その場合、光ディスク装置１が、各記録層１０１のＢＣＡ１０１ａの位置を特定できるように、各記録層１０１の記録方向または再生方向に応じて設定された（すなわち、各記録層１０１の記録方向または再生方向の始点側に配置された）、層識別情報が記録されている各記録層１０１のＢＣＡ１０１ａの位置を示す位置情報が、光ディスク１００に記録されていればよい。この位置情報は、例えば、光ディスク装置１が光ディスク１００に最初にアクセスする領域の予め規定された位置に記録されていてもよいし、上述した識別情報にこの位置情報が含まれており、当該識別情報が当該予め規定された位置に記録されていてもよい。
【００５７】
また、光ディスク１００に、上記方向識別情報も上記ＢＣＡ１０１ａの位置を示す位置情報も記録されている必要は必ずしもない。この場合、光ディスク装置１は、指定層と思われる記録層１０１にアクセスした後、当該記録層１０１に設けられたＢＣＡ１０１ａの位置（すなわち層識別情報の記録位置）を探索する。光ディスク装置１は、例えば、ＢＣＡ１０１ａに記録されているデータ（層識別情報を含む）と、その他の領域（ユーザデータ記録領域１０１ｃ）に記録されているデータとの記録形態の違い等を認識することにより、当該ＢＣＡ１０１ａの位置（すなわち、層識別情報の記録位置）を認識することができる。
【００５８】
以降の説明においては、本実施形態に係る光ディスク１００および光ディスク装置１の制御として、光ディスク１００に方向識別情報記録領域１０６が設けられ、当該領域に方向識別情報が記録されていることを前提として説明する。
【００５９】
（ＢＣＡ１０１ａの位置）
上述のように、各記録層１０１のＢＣＡ１０１ａには、各記録層１０１を識別するための層識別情報が記録されている。そして、図１に示すように、ユーザデータ記録領域１０１ｃおよび管理情報記録領域１０１ｂ、１０１ｄ以外の領域であるＢＣＡ１０１ａ（非データ記録領域）の位置が、各記録層１０１の記録方向または再生方向に始点側となるように設定されている。
【００６０】
本実施形態では、図１に示すように、各記録層１０１の記録方向または再生方向が内周側から外周側へ向かう方向となっている。すなわち、図１の光ディスク１００の場合、方向識別情報は、各記録層１０１の記録方向または再生方向として、内周側から外周側へ向かう方向を示す情報を含んでいる。この場合、ＢＣＡ１０１ａは、光ディスク１００の内周部に形成されている。
【００６１】
この構成によれば、データ記録またはデータ再生を行うときの開始位置側に層識別情報が記録されているので、ＢＣＡ１０１ａから層識別情報を取得して、データ記録またはデータ再生を行う記録層１０１を特定した後の、当該記録層１０１のユーザデータ記録領域１０１ｃの所定の記録位置または再生位置への移動距離を小さくすることができる。それゆえ、記録層１０１の識別後、速やかに上記位置へアクセスすることを可能にする。すなわち、層識別情報を取得してから、上記所定の記録層１０１へのデータ記録またはデータ再生までの処理時間を短縮することが可能となる。
【００６２】
また、層識別情報がＢＣＡ１０１ａに記録されている、すなわちユーザデータ記録領域１０１ｃ以外の箇所に層識別情報が記録されている。これにより、層識別情報を記録することに起因したユーザデータ記録領域１０１ｃの記録容量の低減を防ぐことができる。
【００６３】
ここで、層識別情報の記録領域は、ＢＣＡ１０１ａに限らず、管理情報記録領域１０１ｂ、１０１ｄおよびユーザデータ記録領域１０１ｃ以外の非データ記録領域であれば、上記と同様、ユーザデータ記録領域１０１ｃの記録容量の低減を防ぐことができる。また、層識別情報の記録領域が、トラッキングを行うことなくデータの読み出しが可能な特定領域であれば、光ディスク装置１は、トラッキングを行うことなく層識別情報を取得することができる。それゆえ、層識別情報を短時間で取得することができる。
【００６４】
一方、層識別情報の記録領域、すなわち上述の非データ記録領域および特定領域がＢＣＡ１０１ａである場合には、上述のように層識別情報をＢＣＡコードとして記録しておくことができる。すなわち、記録層１０１を形成後、その一部をレーザマーカーを用いて除去する手法、または、ネガパターンをマスクとし、このマスクを通してスパッタ法等を用いて記録層１０１を形成する手法によって、ＢＣＡ１０１ａに層識別情報を記録しておくことができる。それゆえ、層識別情報がＢＣＡ１０１ａに記録される場合、トラッキング不要な層識別情報を、上記既存の手法を用いて容易に記録することができる。
【００６５】
また、ＢＣＡ１０１ａは、各記録層１０１へのアクセス時に最初に再生光が照射される領域であるゆえ、ＢＣＡ１０１ａに層識別情報を記録しておくことにより、データ記録またはデータ再生の対象となる記録層（指定層）を迅速に把握することができる。
【００６６】
これらの点を考慮しなければ、上記のように、ＢＣＡ１０１ａ以外の上記非データ記録領域または特定領域に層識別情報が記録されてもよい。
【００６７】
＜その他のディスク＞
なお、本実施の形態では、光ディスク装置１の処理対象となる情報記録媒体として光ディスク１００を例に挙げて説明しているが、これに限らず、例えば仮想的な層を含むディスクであってもよい。
【００６８】
例えば、データが記録可能なホログラフィック層と、層識別情報およびトラックの場所を含む管理情報（制御情報）が記録されたアルミニウム層とを備えているホログラムディスクであってもよい。この場合、光ディスク装置１は、アルミニウム層から層識別情報を含む管理情報を読み取ることにより、所定のホログラフィック層にデータを記録したり、データを読み取ったりすることができる。
【００６９】
そして、光ディスク１００と同様、このホログラムディスクにおいても、上記ホログラフィック層の記録方向または再生方向に応じて上記管理情報の記録領域の位置が、当該ホログラムディスクの内周部または外周部に設定されていることにより、データの記録指示または再生指示を受けてからデータ記録またはデータ再生までの処理時間を短縮することが可能となる。なお、このホログラムディスクでは、方向識別情報は、アルミニウム層の例えば最内周側（光ディスク装置１がディスク装填後に最初に再生光を照射する領域）に記録されている。
【００７０】
＜制御部２０の構成＞
次に、図４に基づき、光ディスク装置１が備える制御部２０の概略構成について説明する。図４は、制御部２０の概略構成の一例を示す図である。なお、以下において、「アクセス」して「記録する」または「再生する」場合、当該処理を実行する部材は、記録再生回路群１０を制御することにより、記録用レーザ光、再生用レーザ光およびサーボ用レーザ光を、光ディスク１００の所定の記録または再生位置に所定の出力で照射できるように、光ヘッド１１を制御する。
【００７１】
制御部２０は、主として、方向識別情報取得部２１、ＢＣＡ位置確認部２２、層識別情報取得部２３（層識別情報取得手段）、指定層判定部２４、記録再生条件調整部２５、およびデータ記録再生部２６（記録再生手段）を備えている。制御部２０は、例えば制御プログラムを実行することにより、光ディスク装置１を構成する部材を制御するものである。制御部２０は、格納部３に格納されているプログラムを、例えばＲＡＭ（Random Access Memory）等で構成される一時記録部（不図示）に読み出して実行することにより、ＢＣＡ１０１ａの位置確認処理、記録条件または再生条件の調整処理、各種データ記録または再生処理等の各種処理を行う。
【００７２】
方向識別情報取得部２１は、光ディスク１００が光ディスク装置１に挿入され、光ディスク１００の特定の記録層１０１へのデータの記録指示または再生指示を受けた後に、各記録層１０１の記録方向または再生方向を含む方向識別情報を、方向識別情報記録領域１０６から取得する（読み出す）。方向識別情報取得部２１は、取得した方向識別情報を、ＢＣＡ位置確認部２２に送信する。
【００７３】
ＢＣＡ位置確認部２２は、受信した方向識別情報を解析し、各記録層１０１の記録方向または再生方向に対応付けられた、各記録層１０１のＢＣＡ１０１ａの位置を確認する。そして、ＢＣＡ位置確認部２２は、その確認結果を層識別情報取得部２３に送信する。
【００７４】
層識別情報取得部２３は、指定層と思われる記録層１０１にアクセスし、受信した確認結果に基づき、当該記録層１０１のＢＣＡ１０１ａから層識別情報を取得し、指定層判定部２４に送信する。ここで、「指定層と思われる記録層」とは、上記記録指示または再生指示に含まれる所定の記録層（指定層）とみなされる記録層１０１であり、各記録層１０１の反射率の相違などに基づき、上記記録指示または再生指示が示す記録層であるとみなされた記録層である。また、上記記録指示または再生指示には、光ディスク１００の初期化も含まれる。
【００７５】
上述のように、ＢＣＡ１０１ａは、上記記録方向または再生方向に対してユーザデータ記録領域１０１ｃよりも手前に配置されている。そして、そのＢＣＡ１０１ａに層識別情報が記録されている。それゆえ、層識別情報を用いての当該記録層の識別から、ユーザデータ記録領域１０１ｃに対するデータ記録またはデータ再生までの時間を短縮することができる。
【００７６】
指定層判定部２４は、層識別情報取得部２３で取得した層識別情報が示す当該記録層が、記録指示または再生指示が示す記録層（データ記録またはデータ再生すべき記録層）であるか否かを判定するものである。すなわち、指定層判定部２４は、現在アクセスしている記録層（現在の層位置）が指定層と一致しているか否かを確認する。そして、その判定結果を記録再生条件調整部２５に送信する。
【００７７】
記録再生条件調整部２５は、上記判定結果を解析し、上記層識別情報が示す記録層が指定層であれば、当該指定層に対する記録条件または再生条件を調整する。
【００７８】
記録再生条件調整部２５は、記録条件を調整する場合には、当該指定層の管理情報記録領域１０１ｂまたは１０１ｄの所定の領域（ＯＰＣ実行領域）にアクセスする。そして、記録再生条件調整部２５は、指定層としての当該記録層へデータ記録を行うことを可能とするために、記録光のパワー（記録パワー）を段階的に変更して試し書きを行い（すなわち、最適記録条件調整を行い）、その試し書きにより最適な記録パワーを記録条件として決定する。記録再生条件調整部２５は、決定した記録条件を記録条件情報（最適記録条件情報）として、上記ＯＰＣ実行領域に記録する。
【００７９】
なお、記録方向の始点側の管理情報記録領域１０１ｂまたは１０１ｄにＢＣＡ１０１ａが配置されている場合、ＯＰＣの実行からユーザデータ記録領域１０１ｃへのデータ記録までの処理時間を短くすることができる。
【００８０】
また、記録再生条件調整部２５は、再生条件を調整する場合には、管理情報記録領域１０１ｂまたは１０１ｄに記録されている再生条件情報を読み出し、光ディスク装置１がユーザデータ記録領域１０１ｃのデータを読み出すことが可能な再生条件を満たす設定となっているかを確認し、当該再生条件を満たしていない場合には当該再生条件を変更する。再生条件の調整を行った場合には、その調整後の再生条件を示す再生条件情報を、読み出した再生条件情報の代わりに管理情報記録領域１０１ｂまたは１０１ｄに記録する。
【００８１】
記録再生条件調整部２５は、記録条件または再生条件の調整が完了すると、その調整が完了したことをデータ記録再生部２６に通知する。
【００８２】
データ記録再生部２６は、上記通知を受けて、光ディスク１００が光ディスク装置１に挿入されたときに受けた記録指示に含まれるデータ（ユーザデータ）を記録するか、再生指示によって指定された記録層１０１の所定の位置からのデータ再生を行う。データ記録再生部２６は、指定層と判定された記録層のユーザデータ記録領域１０１ｃの所定の記録位置（記録開始位置）にアクセスし上記データを記録するか、当該ユーザデータ記録領域１０１ｃの所定の再生位置（再生開始位置）にアクセスし、当該ユーザデータ記録領域１０１ｃに記録されているデータを再生する。
【００８３】
すなわち、データ記録再生部２６は、層識別情報取得部２３が取得した層識別情報が示す記録層１０１のユーザデータ記録領域１０１ｃに対してデータ記録またはデータ再生を行うものである。
【００８４】
また、格納部３は、制御部２０が実行する（１）各部の制御プログラム、（２）ＯＳプログラム、（３）アプリケーションプログラム、および、（４）これらプログラムを実行するときに読み出す各種データを記録するものである。制御部２０は、例えばＲＯＭ（Read Only Memory）フラッシュメモリなどの不揮発性の記録装置によって構成されるものである。なお、上述した一時記憶部は、ＲＡＭなどの揮発性の記録装置によって構成されているが、本実施の形態では、格納部３が一時記憶部の機能も備えているものとして説明する場合もある。
【００８５】
＜光ディスク１００における処理の流れ＞
次に、図５に基づき、光ディスク装置１における処理の流れについて説明する。図５はその処理を示すフローチャートである。
【００８６】
図示のように、光ディスク装置１に光ディスク１００が挿入され（Ｓ１）、例えば操作部（不図示）を介して、所定の記録層に対してデータを記録する旨の記録指示、または、当該記録層に記録されているデータを再生する旨の再生指示があったときに（Ｓ２）、方向識別情報取得部２１は、当該光ディスク１００のガイド層１０２Ａの方向識別情報記録領域１０６から方向識別情報を取得する（Ｓ３）。ＢＣＡ位置確認部２２は、方向識別情報取得部２１が取得した方向識別情報を解析して、各記録層１０１のＢＣＡ１０１ａの位置を確認する（Ｓ４）。
【００８７】
層識別情報取得部２３は、上記の確認結果に基づき、指定層と思われる記録層１０１のＢＣＡ１０１ａへアクセスし（Ｓ５）、当該ＢＣＡ１０１ａから層識別情報を取得する（Ｓ６）。
【００８８】
指定層判定部２４は、層識別情報取得部２３が取得した層識別情報が示す記録層が、指定層（記録指示または再生指示に含まれる記録層）と一致するか否かを判定する（Ｓ７）。指定層判定部２４によって指定層であると判定された場合には（Ｓ７でＹＥＳ）、記録再生条件調整部２５は、その指定層の記録条件または再生条件を調整する（Ｓ８）。
【００８９】
一方、上記層識別情報が示す記録層が指定層ではないと判定された場合には（Ｓ７でＮＯ）、層識別情報取得部２３は、指定層と思われる記録層を新たに選択し、その記録層にアクセスする（Ｓ５）。例えば、その指定層と思われる記録層は、現在アクセスしている記録層の層識別情報から類推することによって選択される。この選択は、上記指定層と一致するまで行われる。
【００９０】
Ｓ８の処理後、データ記録再生部２６は、当該ユーザデータ記録領域１０１ｃの所定の記録位置または再生位置にアクセスし（Ｓ９）、当該記録位置に、上記記録指示に含まれるデータを記録するか、当該再生位置からのデータ再生を行う（Ｓ１０）。
【００９１】
以上のように、光ディスク装置１は、記録層１０１の記録方向または再生方向に応じて、当該記録層１０１の内周部または外周部に配置されたＢＣＡ１０１ａから層識別情報を取得し、その層識別情報が示す記録層１０１にデータ記録またはデータ再生を行うことができる。それゆえ、層識別情報を取得してからデータ記録またはデータ再生までの処理時間を短縮することが可能となる。
【００９２】
〔実施の形態２〕
本発明の実施の一形態について図６、７に基づいて説明すれば、以下のとおりである。なお、実施の形態１と同様の部材に関しては、同じ符号を付し、その説明を適宜省略する。例えば、光ディスク装置１の概略構成は同じであり、また、光ディスク１００ａ（情報記録媒体）に対する光ディスク装置１の処理も、実施形態１で説明した処理と同様の処理となるゆえ、これらの説明については省略する。
【００９３】
＜光ディスク１００ａの構成＞
（積層構造）
図６および図７に基づき、本発明の一実施形態に係る光ディスク１００ａについて説明する。まず、図６に基づき、光ディスク１００ａの概略構成について説明する。図６は、光ディスク１００ａの積層構造の一例を示す図である。
【００９４】
図示のように、光ディスク１００ａは、基板１０５とカバー層１０４との間に、ガイド層１０２Ａ、１０２Ｂ、記録層１０１Ａ〜１０１Ｄ（第１記録層群、第２記録層群）、および中間層１０３Ａ〜１０３Ｅを備えている。具体的には、基板１０５から、ガイド層１０２Ａ、中間層１０３Ａ、ガイド層１０２Ｂ、中間層１０３Ｂ、記録層１０１Ａ、中間層１０３Ｃ、記録層１０１Ｂ、中間層１０３Ｄ、記録層１０１Ｃ、中間層１０３Ｅ、記録層１０１Ｄおよびカバー層１０４がこの順に積層されている。
【００９５】
光ディスク１００ａは、ガイド層１０２を２層備えている点で、実施の形態１の光ディスク１００と異なる。すなわち、光ディスク１００ａには、内周側から外周側へ向かう記録方向または再生方向に対応してトラッキングの方向が規定されているガイド層１０２と、内周側から外周側へ向かう記録方向または再生方向に対応してトラッキングの方向が規定されているガイド層１０２と、が混在している。逆に言えば、光ディスク１００ａには、ガイド層１０２が２層設けられることで、上記２つの方向を有する記録層１０１が混在している。
【００９６】
なお、光ディスク１００ａは、図６では、記録層１０１が記録層１０１Ａ〜１０１Ｄの４層で構成されているが、これに限らず、複数層からなっていればよい。また、各記録層１０１間、各ガイド層１０２間、および記録層１０１とカバー層１０４との間に、中間層１０３が設けられていればよく、この場合、中間層１０３の数は記録層１０１数より１つ多くなる。また、ガイド層１０２は２層でなくても３層以上あってもよい。
【００９７】
（記録層１０１およびガイド層１０２の詳細）
次に、図７に基づき、本発明の一実施形態に係る光ディスク１００ａの記録層１０１およびガイド層１０２の詳細について説明する。図７は、本発明の一実施形態に係る光ディスク１００ａを説明するための、当該光ディスク１００ａの概略構成の一例を示す図である。なお、図７は、図６の光ディスク１００ａの構成から、中間層１０３Ａ〜１０３Ｅ、カバー層１０４および基板１０５の図示を省略して、その構成を簡略化したものである。
【００９８】
ここで、図７では、光ディスク１００ａの記録層１０１Ａ〜１０１Ｄのうち、記録層１０１Ａおよび記録層１０１Ｃを第１記録層群としている。第１記録層群の記録方向または再生方向は、内周側から外周側へ向かう方向である。この第１記録層群の記録方向または再生方向を、それぞれ第１記録方向または第１再生方向とする。一方、光ディスク１００ａの記録層１０１Ａ〜１０１Ｄのうち、記録層１０１Ｂおよび記録層１０１Ｄを第２記録層群（第１記録層群以外の記録層群）としている。第２記録層群の記録方向または再生方向は、外周側から内周側へ向かう方向である。この第２記録層群の記録方向または再生方向を、それぞれ第２記録方向または第２再生方向とする。
【００９９】
そして、記録層１０１Ａおよび１０１Ｃの第１記録方向または第１再生方向と、ガイド層１０２Ａに対して行われるトラッキングの方向とが対応しており、記録層１０１Ｂおよび１０１Ｄの第２記録方向または第２再生方向と、ガイド層１０２Ｂに対して行われるトラッキングの方向とが対応している。また、記録層１０１Ａおよび１０１Ｃでは、第１記録方向または第１再生方向の始点側である光ディスク１００ａの内周部にＢＣＡ１０１ａが配置され、記録層１０１Ｂおよび１０１Ｄでは、第２記録方向または第２再生方向の始点側である光ディスク１００の外周部にＢＣＡ１０１ａが配置されている。
【０１００】
すなわち、方向識別情報記録領域１０６に記録されている方向識別情報においては、記録層１０１Ａおよび１０１Ｃと、第１記録方向または第１再生方向と、この方向に対応したトラッキングの方向が規定されたガイド層１０２Ａと、そのＢＣＡ１０１ａの位置が光ディスク１００の内周部であることと、が対応付けられている。また、上記方向識別情報においては、記録層１０１Ｂおよび１０１Ｄと、第２記録方向または第２再生方向と、この方向に対応したトラッキングの方向が規定されたガイド層１０２Ｂと、そのＢＣＡ１０１ａの位置が光ディスク１００の外周部であることと、が対応付けられている。
【０１０１】
換言すれば、本実施形態の光ディスク１００ａは、記録層１０１を複数（図７では４層）備えるとともに、ガイド層１０２を２層備え、ガイド層１０２のうちの一方に対して行われるトラッキングの方向は、上記第１記録方向または上記第１再生方向と対応しており、ガイド層１０２のうちの他方に対して行われるトラッキングの方向は、上記第２記録方向または上記第２再生方向と対応している。
【０１０２】
上記構成によれば、ガイド層１０２を２つ、記録層１０１を複数備えた構成において、記録層１０１のそれぞれに対して、適切にデータ記録またはデータ再生を行うことができる。すなわち、ガイド層１０２を２つ備えることによって、２種類の記録方向または再生方向が規定された複数の記録層１０１を備えた光ディスク１００ａを実現することができる。
【０１０３】
また、２種類の記録方向または再生方向が規定された複数の記録層１０１を備えているので、それぞれの記録方向または再生方向に応じてＢＣＡ１０１ａの位置が設定されている。それゆえ、ガイド層１０２が１つの構成に比べ、層識別情報の記録領域としてのＢＣＡ１０１ａの配置位置の自由度を広げることができる。
【０１０４】
また、図７の構成では、記録層１０１Ａ、１０１Ｃの記録方向または再生方向は第１記録方向または第１再生方向であり、これらに隣接する記録層１０１Ｂ、１０１Ｄの記録方向または再生方向は第２記録方向または第２再生方向である。すなわち、隣り合う記録層１０１の記録方向または再生方向が交互となるように設定されている。それゆえ、ある記録層１０１へのデータ記録またはデータ再生が終了した位置から、隣接する記録層１０１へのデータ記録またはデータ再生が開始される位置への移動がスムースに行われるので、記録層が増加してもデータ記録再生時の層間移動を迅速に行うことができる。
【０１０５】
なお、当然ながら、各記録層１０１の記録方向または再生方向の組み合わせは、上記に限られたものではない。すなわち、記録層の一部が第１記録層群として機能し、それ以外の記録層が第２記録層群として機能すればよく、これらの記録層群に含まれる記録層の層数も同数でなくてもよい。また、実施の形態１と同様、記録層１０１のいずれもが互いに同じ記録方向または再生方向であってもよい。この場合、第１記録層群または第２記録層群に含まれる記録層の層数は０となる。
【０１０６】
また、方向識別情報記録領域１０６は、図７ではガイド層１０２Ａに配置されているが、これに限らず、ガイド層１０２Ｂに配置されていてもよい。方向識別情報記録領域１０６は、実施の形態１と同様、ディスク装填後に最初に再生用レーザ光が照射される位置に存在していればよい。
【０１０７】
また、本実施形態では、ガイド層１０２Ａの方向識別情報記録領域１０６に方向識別情報が記録され、当該情報を用いて光ディスク装置１が各記録層１０１のＢＣＡ１０１ａの位置を特定しているが、この特定方法はあくまで一例である。実施形態１でも述べたように、ガイド層１０２Ａの方向識別情報記録領域１０６に方向識別情報が記録されていなくてもよい。すなわち、光ディスク装置１が方向識別情報によって各記録層１０１のＢＣＡ１０１ａの位置（層識別情報の記録位置）を特定する構成でなくてもよく、ＢＣＡ１０１ａの位置を示す位置情報を読み出してその位置を特定してもよい。また、ＢＣＡ１０１ａの位置を上記位置情報を用いて特定するのではなく、検索によって特定するものであってもよい。
【０１０８】
〔実施の形態３〕
本発明の実施の一形態について図８、９に基づいて説明すれば、以下のとおりである。なお、実施の形態１、２と同様の部材に関しては、同じ符号を付し、その説明を適宜省略する。実施の形態２と同様、光ディスク装置１の概略構成は同じであり、また、光ディスク１００ｂ（情報記録媒体）に対する光ディスク装置１の処理も、実施の形態１で説明した処理と同様の処理となるゆえ、これらの説明については省略する。
【０１０９】
＜光ディスク１００ｂの構成＞
（積層構造）
図８および図９に基づき、本発明の一実施形態に係る光ディスク１００ｂについて説明する。まず、図８に基づき、光ディスク１００ｂの概略構成について説明する。図８は、光ディスク１００ｂの積層構造の一例を示す図である。
【０１１０】
図示のように、光ディスク１００ｂは、基板１０５とカバー層１０４との間に、ガイド層１０２Ａ、１０２Ｂ、記録層１０１Ａ〜１０１Ｆ（第１記録層群、第２記録層群）、および中間層１０３Ａ〜１０３Ｇを備えている。具体的には、基板１０５から、ガイド層１０２Ａ、中間層１０３Ａ、ガイド層１０２Ｂ、中間層１０３Ｂ、記録層１０１Ａ、中間層１０３Ｃ、記録層１０１Ｂ、中間層１０３Ｄ、記録層１０１Ｃ、中間層１０３Ｅ、記録層１０１Ｄ、中間層１０３Ｆ、記録層１０１Ｅ、中間層１０３Ｇ、記録層１０１Ｆおよびカバー層１０４がこの順に積層されている。
【０１１１】
光ディスク１００ｂは、記録層１０１が６層あり、第１記録層群に含まれる記録層１０１と第２記録層群に含まれる記録層１０１とが交互に配置されていない（図９参照）点で、光ディスク１００ａと異なる。
【０１１２】
なお、光ディスク１００ｂは、図８では、記録層１０１が記録層１０１Ａ〜１０１Ｆの６層で構成されているが、これに限らず、複数層からなっていればよい。また、実施の形態２と同様、各記録層１０１間、各ガイド層１０２間、および記録層１０１とカバー層１０４との間に、中間層１０３が設けられていればよく、この場合、中間層１０３の数は記録層１０１数より１つ多くなる。また、ガイド層１０２は２層でなくても３層以上あってもよい。
【０１１３】
（記録層１０１およびガイド層１０２の詳細）
次に、図９に基づき、本発明の一実施形態に係る光ディスク１００ｂの記録層１０１およびガイド層１０２の詳細について説明する。図９は、本発明の一実施形態に係る光ディスク１００ｂを説明するための、当該光ディスク１００ｂの概略構成の一例を示す図である。なお、図９は、図８の光ディスク１００ｂの構成から、中間層１０３Ａ〜１０３Ｇ、カバー層１０４および基板１０５の図示を省略して、その構成を簡略化したものである。
【０１１４】
光ディスク１００ｂでは、記録層１０１Ａ〜１０１Ｆのうち、記録層１０１Ａおよび記録層１０１Ｃ〜１０１Ｅを第１記録層群としている。第１記録層群の第１記録方向または第１再生方向は、内周側から外周側へ向かう方向である。一方、光ディスク１００ｂの記録層１０１Ａ〜１０１Ｆのうち、記録層１０１Ｂおよび記録層１０１Ｆを第２記録層群としている。第２記録層群の第２記録方向または第２再生方向は、外周側から内周側へ向かう方向である。
【０１１５】
そして、記録層１０１Ａ、１０１Ｃ〜１０１Ｅの第１記録方向または第１再生方向と、ガイド層１０２Ａに対して行われるトラッキングの方向とが対応しており、記録層１０１Ｂおよび１０１Ｆの第２記録方向または第２再生方向と、ガイド層１０２Ｂに対して行われるトラッキングの方向とが対応している。また、記録層１０１Ａ、１０１Ｃ〜１０１Ｅでは、第１記録方向または第１再生方向の始点側である光ディスク１００ｂの内周部にＢＣＡ１０１ａが配置され、記録層１０１Ｂおよび１０１Ｆでは、第２記録方向または第２再生方向の始点側である光ディスク１００ｂの外周部にＢＣＡ１０１ａが配置されている。
【０１１６】
すなわち、方向識別情報記録領域１０６に記録されている方向識別情報においては、記録層１０１Ａ、１０１Ｃ〜１０１Ｅと、第１記録方向または第１再生方向と、この方向に対応したトラッキングの方向が規定されたガイド層１０２Ａと、そのＢＣＡ１０１ａの位置が光ディスク１００ｂの内周部であることと、が対応付けられている。また、上記方向識別情報においては、記録層１０１Ｂおよび１０１Ｆと、第２記録方向または第２再生方向と、この方向に対応したトラッキングの方向が規定されたガイド層１０２Ｂと、そのＢＣＡ１０１ａの位置が光ディスク１００ｂの外周部であることと、が対応付けられている。
【０１１７】
したがって、この構成の場合であっても、実施の形態２と同様、２種類の記録方向または再生方向が規定された複数の記録層１０１を備えた光ディスク１００ｂを実現することができるとともに、ガイド層１０２が１つの構成に比べ、層識別情報の記録領域としてのＢＣＡ１０１ａの配置位置の自由度を広げることができる。
【０１１８】
また、ガイド層１０２を２つ備えることによって、記録方向または再生方向が異なる複数の記録層１０１を、その積層順序を問わず積層することができる。
【０１１９】
また、本実施形態では、ガイド層１０２Ａの方向識別情報記録領域１０６に方向識別情報が記録され、当該情報を用いて光ディスク装置１が各記録層１０１のＢＣＡ１０１ａの位置を特定しているが、この特定方法はあくまで一例である。実施形態１および２でも述べたように、ガイド層１０２Ａの方向識別情報記録領域１０６に方向識別情報が記録されていなくてもよい。すなわち、光ディスク装置１が方向識別情報によって各記録層１０１のＢＣＡ１０１ａの位置（層識別情報の記録位置）を特定する構成でなくてもよく、ＢＣＡ１０１ａの位置を示す位置情報を読み出してその位置を特定してもよい。また、ＢＣＡ１０１ａの位置を上記位置情報を用いて特定するのではなく、検索によって特定するものであってもよい。
【０１２０】
〔まとめ〕
本発明の一態様に係る情報記録媒体は、トラックを備えていない記録層と、トラッキングを行うためのガイドトラックを備えているガイド層とを有する情報記録媒体であって、データを記録可能なユーザデータ記録領域および当該記録層を管理するための管理情報を記録可能な管理情報記録領域以外の領域である非データ記録領域の位置が、上記記録層に対してデータ記録を行うときの記録方向またはデータ再生を行うときの再生方向に応じて当該記録層の内周部または外周部に設定されており、上記非データ記録領域には、上記記録層を識別するための層識別情報が記録されている。
【０１２１】
上記構成によれば、記録層の内周部または外周部に、記録方向または再生方向に応じて非データ記録領域の位置が設定されており、当該非データ記録領域に層識別情報が記録されている。つまり、データ記録または再生を行うときの開始位置を考慮して層識別情報を記録しておくことができる。それゆえ、上記記録層とガイド層とを有する情報記録媒体（所謂、ガイド層分離型の情報記録媒体）において、上記記録層へのデータの記録指示または再生指示を受けてから層識別情報を取得するまでの処理時間、および、層識別情報を取得してから上記記録層へのデータ記録またはデータ再生までの処理時間を短縮することを可能とする。
【０１２２】
すなわち、本発明の情報記録媒体は、記録層へのデータ記録またはデータ再生までの処理時間を短縮することができる。
【０１２３】
なお、上記実施の形態１では、記録層１０１の記録方向または再生方向に応じて、光ディスク１００の内周部に、層識別情報が記録されたＢＣＡ１０１ａの位置が設定されている。一方、上記実施形態２、３では、記録層１０１の記録方向または再生方向に応じて、光ディスク１００ａ、１００ｂの内周部または外周部に、層識別情報が記録されたＢＣＡ１０１ａの位置が設定されている。
【０１２４】
ここで、一般的なガイド層分離型の光ディスク２００の構成について、図１０に基づいて説明する。図１０は、光ディスク１００、１００ａ、１００ｂの比較例としてのガイド層分離型の光ディスク２００の概略構成を示す図である。
【０１２５】
光ディスク２００は、記録層２０１とガイド層２０２とを備えている。また、各記録層２０１には、ＢＣＡ２０１ａ、管理情報記録領域２０１ｂ、ユーザデータ記録領域２０１ｃおよび管理情報記録領域２０１ｄが設けられている。なお、これらの層および領域の機能は、基本的には、実施の形態１で説明した記録層１０１、ガイド層１０２、ＢＣＡ１０１ａ、管理情報記録領域１０１ｂ、ユーザデータ記録領域１０１ｃおよび管理情報記録領域１０１ｄと同様であるため、その具体的な説明は省略する。
【０１２６】
光ディスク２００は、ＢＣＡ２０１ａが、ガイド層２０２に隣接する記録層２０１の内周側にのみ配置されており、かつ、当該ＢＣＡ２０１ａには層識別情報が記録されていない点で、光ディスク１００等と異なる。
【０１２７】
したがって、この光ディスク２００では、各記録層を識別可能とするために、各記録層２０１の反射率を変え、記録再生装置がその反射率の違いを検出することにより各記録層２０１を識別することになる。しかしながら、評価機を用いた試作レベルではその識別を行うことが可能であるが、当該光ディスクが量産され、かつ、種々の記録再生装置において情報の記録または再生が行われることを想定した場合、当該識別を行うことは困難となる。
【０１２８】
また、記録層２０１のそれぞれにＢＣＡ２０１ａが備えられていないため、光ディスク１００等のように、各記録層２０１の記録方向または再生方向に応じて層識別情報を記録しておくこともできない。
【０１２９】
それゆえ、光ディスク２００においては、各記録層２０１を正確に識別した上で、データの記録または再生までの処理時間を短縮することは困難であるといえる。
【０１３０】
一方、本実施の形態に係る光ディスク１００等は、記録層１０１の記録方向または再生方向に応じて、層識別情報が記録されている非データ記録領域（この領域の一例がＢＣＡ１０１ａ）が配置されているので、光ディスク２００と異なり、各記録層１０１を正確に識別した上で、データの記録または再生までの処理時間を短縮することができる。
【０１３１】
さらに、本発明の一態様に係る情報記録媒体では、上記層識別情報は、上記非データ記録領域の、トラッキングを行うことなくデータの読み出しが可能な特定領域に記録されていることが好ましい。
【０１３２】
上記構成によれば、トラッキングを行うことなく層識別情報を取得することができる。それゆえ、層識別情報をより短時間で取得することができる。
【０１３３】
さらに、本発明の一態様に係る情報記録媒体では、上記非データ記録領域は、ＢＣＡ（Burst Cutting Area）であることが好ましい。
【０１３４】
上記構成によれば、層識別情報を、既存の手法を用いて容易に記録しておくことができる。
【０１３５】
さらに、本発明の一態様に係る情報記録媒体では、上記記録方向または上記再生方向が、上記情報記録媒体の内周側から外周側へ向かう方向である場合には、上記非データ記録領域は上記情報記録媒体の内周部に形成され、上記記録方向または上記再生方向が、上記情報記録媒体の外周側から内周側へ向かう方向である場合には、上記非データ記録領域は上記情報記録媒体の外周側に形成されていることが好ましい。
【０１３６】
上記構成によれば、データ記録またはデータ再生を行うときの開始位置側に層識別情報が記録されているので、非データ記録領域から層識別情報を取得して、データ記録またはデータ再生を行う記録層を特定した後の、当該記録層のユーザデータ記録領域の所定の記録位置または再生位置への移動距離を小さくすることができる。それゆえ、記録層の識別後、速やかに上記位置へアクセスすることを可能にする。すなわち、層識別情報を取得してからデータ記録またはデータ再生までの処理時間をより短縮することが可能となる。
【０１３７】
さらに、本発明の一態様に係る情報記録媒体では、上記記録層を複数備えるとともに、上記ガイド層を１つ備え、上記ガイド層に対して行われる上記トラッキングの方向は、上記記録方向または上記再生方向に対応しており、上記記録層のそれぞれの上記記録方向または上記再生方向は、互いに同一であることが好ましい。
【０１３８】
上記構成によれば、ガイド層に対して行なわれるトラッキングの方向と、記録層の記録方向または再生方向とが対応しており、かつ、各記録層の記録方向または再生方向が互いに同一である。それゆえ、記録再生装置は、ガイド層を１つ、記録層を複数備えた構成において、記録層のそれぞれに対して、適切にデータ記録またはデータ再生を行うことができる。
【０１３９】
さらに、本発明の一態様に係る情報記録媒体では、上記記録層を複数備えるとともに、上記ガイド層を２つ備え、上記記録層のうちの第１記録層群に含まれる記録層のそれぞれの上記記録方向または上記再生方向を、それぞれ第１記録方向または第１再生方向とし、上記第１記録層群以外の記録層群である第２記録層群に含まれる記録層のそれぞれの上記記録方向または上記再生方向を、それぞれ第２記録方向または第２再生方向としたとき、上記ガイド層のうちの一方に対して行われる上記トラッキングの方向は、上記第１記録方向または上記第１再生方向と対応しており、上記ガイド層のうちの他方に対して行われる上記トラッキングの方向は、上記第２記録方向または上記第２再生方向と対応していることが好ましい。
【０１４０】
上記構成によれば、一方のガイド層に対して行われるトラッキングの方向と、第１記録層群に含まれる各記録層の第１記録方向または第１再生方向とが対応しており、他方のガイド層に対して行われるトラッキングの方向と、第２記録層群に含まれる各記録層の第２記録方向または第２再生方向とが対応している。それゆえ、ガイド層を２つ、記録層を複数備えた構成において、記録層のそれぞれに対して、適切にデータ記録またはデータ再生を行うことができる。すなわち、ガイド層を２つ備えることによって、２種類の記録方向または再生方向が規定された複数の記録層を備えた情報記録媒体を実現することができる。
【０１４１】
また、２種類の記録方向または再生方向が規定された複数の記録層を備えているので、それぞれの記録方向または再生方向に応じて非データ記録領域の位置が設定されている。それゆえ、ガイド層が１つの構成に比べ、層識別情報の記録領域としての非データ記録領域の配置位置の自由度を広げることができる。
【０１４２】
さらに、本発明の一態様に係る記録再生装置は、上記に記載の情報記録媒体に対して情報の記録または再生を行う記録再生装置であって、上記記録層の上記非データ記録領域に記録されている上記層識別情報を取得する層識別情報取得手段と、上記層識別情報取得手段が取得した上記層識別情報が示す記録層の上記ユーザデータ記録領域に対してデータ記録またはデータ再生を行う記録再生手段と、を備えている。
【０１４３】
さらに、本発明の一態様に係る記録再生装置の制御方法は、上記に記載の情報記録媒体に対して情報の記録または再生を行う記録再生装置の制御方法であって、上記記録層の上記非データ記録領域に記録されている上記層識別情報を取得する層識別情報取得ステップと、上記層識別情報取得ステップにおいて取得した上記層識別情報が示す記録層の上記ユーザデータ記録領域に対してデータ記録またはデータ再生を行う記録再生ステップと、を含む。
【０１４４】
上記構成によれば、記録層の記録方向または再生方向に応じて、当該記録層の内周部または外周部に配置された非データ記録領域から層識別情報を取得し、その層識別情報が示す記録層にデータ記録またはデータ再生を行うことができる。それゆえ、層識別情報を取得してからデータ記録またはデータ再生までの処理時間を短縮することが可能となる。
【０１４５】
さらに、上記記録再生装置を動作させる制御プログラムであって、コンピュータを上記の各手段として機能させるための制御プログラム、および当該制御プログラムを記録したコンピュータ読み取り可能な記録媒体も本発明の技術的範囲に含まれる。
【０１４６】
上記制御プログラムによれば、コンピュータで上記手段を実現することにより、コンピュータ上で記録再生装置を実現することができる。また、上記記録媒体によれば、記録媒体から読み出される制御プログラムを、汎用のコンピュータ上で実現することができる。
【０１４７】
〔ソフトウェアによる実現例〕
最後に、光ディスク装置１の各ブロック、制御部２０の各部は、集積回路（ＩＣチップ）上に形成された論理回路によってハードウェア的に実現してもよいし、ＣＰＵ（Central Processing Unit）を用いてソフトウェア的に実現してもよい。
【０１４８】
後者の場合、光ディスク装置１は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記録装置（記録媒体）などを備えている。そして、本発明の目的は、上述した機能を実現するソフトウェアである光ディスク装置１の制御プログラムのプログラムコード（実行形式プログラム、中間コードプログラム、ソースプログラム）をコンピュータで読み取り可能に記録した記録媒体を、上記光ディスク装置１に供給し、そのコンピュータ（またはＣＰＵやＭＰＵ）が記録媒体に記録されているプログラムコードを読み出し実行することによっても、達成可能である。
【０１４９】
上記記録媒体としては、一時的でない有形の媒体（non-transitory tangible medium）、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類などを用いることができる。
【０１５０】
また、光ディスク装置１を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１５１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１５２】
本発明は、ガイド層分離型の光ディスクにおいて、データ記録またはデータ再生を短時間で行うことができるので、当該ガイド層分離型の光ディスク全般に好適に利用できる。
【符号の説明】
【０１５３】
１        光ディスク装置（記録再生装置）
２３      層識別情報取得部（層識別情報取得手段）
２６      データ記録再生部（記録再生手段）
１００    光ディスク（情報記録媒体）
１００ａ  光ディスク（情報記録媒体）
１００ｂ  光ディスク（情報記録媒体）
１０１    記録層（第１記録層群、第２記録層群）
１０１Ａ  記録層（第１記録層群、第２記録層群）
１０１Ｂ  記録層（第１記録層群、第２記録層群）
１０１Ｃ  記録層（第１記録層群、第２記録層群）
１０１Ｄ  記録層（第１記録層群、第２記録層群）
１０１Ｅ  記録層（第１記録層群、第２記録層群）
１０１Ｆ  記録層（第１記録層群、第２記録層群）
１０１ａ  ＢＣＡ（非データ記録領域、特定領域）
１０１ｂ  管理情報記録領域
１０１ｃ  ユーザデータ記録領域
１０１ｄ  管理情報記録領域
１０２    ガイド層
１０２Ａ  ガイド層
１０２Ｂ  ガイド層
Ｔ        ガイドトラック
【図１】
2014078288.tif 000003
【図２】
2014078288.tif 000004
【図３】
2014078288.tif 000005
【図４】
2014078288.tif 000006
【図５】
2014078288.tif 000007
【図６】
2014078288.tif 000008
【図７】
2014078288.tif 000009
【図８】
2014078288.tif 000010
【図９】
2014078288.tif 000011
【図１０】
2014078288.tif 000012
【図１１】
2014078288.tif 000013